(57)【要約】【課題】フック金具による落下防止のための安全確保操作が行われたか否かを離れた場所にいる監督者が視認できる。【解決手段】ベルト本体１には、フック金具４がロープ５を介して装備されるとともに、発光ダイオードのような発光体２１を複数個、列状に配置した発光体固定部材２を着脱自在に装着している。このフック金具４を外部の支持金物６に引掛けて係合させたとき、フック金具４の自重によって支持金物６に電気スイッチ部４２が押しつけられ電気回路が自動的にオンとなり、リード線５１、４３を通じて制御ボックス３内の電気回路が作動して、前記発光体２１を発光させる。【選択図】  図１
2004229721.tif 000002
【特許請求の範囲】
【請求項１】
ロープを介してフック金具を備えた安全ベルトであって、ベルト本体には発光体を装着し、かつ前記フック金具の鉤部内側には電気スイッチ部が設けられ、該フック金具を外部の支持金物に係合させたとき、フック金具の自重によって支持金物に前記電気スイッチ部が押しつけられ電気回路がオンとなり、その電気信号によって前記発光体を発光させるようにしたことを特徴とする安全ベルト。
【請求項２】
前記発光体が発光ダイオードを複数個、列状に配置したものである請求項１に記載の安全ベルト。
【請求項３】
前記発光体を配設した発光体固定部材を前記ベルト本体に着脱自在に装着した請求項１または２に記載の安全ベルト。
【請求項４】
前記発光体固定部材が、その発光体固定面を表面にしてベルト本体に装着可能な環状部材または挟み付け部材を設けたものである請求項２または３に記載の安全ベルト。
【請求項５】
乾電池または太陽電池を前記発光体の電源として収容し、発光体の発光を制御する電気回路を内臓する制御ボックスを備えるとともに、この制御ボックスと前記フック金具に設けた電気スイッチ部との間をリード線で接続した請求項１〜４のいずれかに記載の安全ベルト。
【発明の詳細な説明】
【０００１】
【発明の属する技術分野】
本発明は、高所作業や夜間作業に用いられる、落下事故を防止するためのフック金具を備えた安全ベルトの改良に関する。
【０００２】
【従来の技術】
従来、電柱上の架線工事などの高所作業において、作業者の安全確保のために、ロープの先端にフック金具を設けた安全ベルトが用いられている。この安全ベルトを腰に装備した作業者は、フック金具を手近な支持金物、例えば、電柱に固着された足場金物などに引掛けて係合させることにより、万一、安定を失って落下するような事態になっても、フック金具が支点となってロープに接続された安全ベルトが体を支えて墜落を防止できるのである。
【０００３】
ところが、この安全確保のためのフック金具に連なるロープ自体が高所作業の邪魔になるため、往々にして、前記安全確保のためのフック金具の適正な使用を怠る場合があった。そして、このような不適切な状態を離れた地上にいる監督者が視認したときは、適切な注意や指導が行えるのであるが、離れた距離によっては視認が困難であったり、また夜間作業では管理者から全く確認できないという問題があった。
【０００４】
一方、ウエストベルトに発光体を装着し、発光させることによって夜間の視認性を向上させ、歩行者の安全を図るようにしたものが知られている（特許文献１、２を参照）。これらは、ベルトの表面に設けたエレクトロルミネセンスや発光ダイオードなどの発光体を発光させるのであるが、ベルトを装着した本人が自らの意志に基づいて必要に応じてスイッチなどで発光操作を行うものであるから、前記した高所作業時の問題点を解決できるようなものではなかった。
【０００５】
【特許文献１】
特開平８−４１７０６号公報：特許請求の範囲
【特許文献２】
特開２００１−１８６９０８号公報：請求項１、図１
【０００６】
【発明が解決しようとする課題】
本発明は、上記の問題点を解決するためになされたものであり、フック金具を備えた安全ベルトにおいて、フック金具による落下防止のための安全確保操作が行われたか否かを離れた場所にいる監督者などに視認できる安全ベルトを提供する。
【０００７】
【課題を解決するための手段】
上記の問題は、ロープを介してフック金具を備えた安全ベルトであって、ベルト本体には発光体を装着し、かつ前記フック金具の鉤部内側には電気スイッチ部が設けられ、該フック金具を外部の支持金物に係合させたとき、フック金具の自重によって支持金物に前記電気スイッチ部が押しつけられ電気回路がオンとなり、その電気信号によって前記発光体を発光させるようにしたことを特徴とする本発明の安全ベルトによって、解決することができる。
【０００８】
また、本発明は、前記発光体を、発光ダイオードを複数個、列状に配置したものとしたり、それらの発光体を配設した発光体固定部材を前記ベルト本体に着脱自在に装着するのが好ましく、その発光体固定面を表面にしてベルト本体に装着可能な環状部材または挟み付け部材を設けたものとするのも好ましい。
さらに、乾電池または太陽電池を前記発光体の電源として収容し、発光体の発光を制御する電気回路を内臓する制御ボックスを備えるとともに、この制御ボックスと前記フック金具に設けた電気スイッチ部との間をリード線で接続した形態の前記の安全ベルトとして好ましく具体化される。
【０００９】
本発明では、ベルト本体に装着された発光体は、フック金具の鉤部内側に設けた電気スイッチ部のオンオフによる電気信号によって発光、消光するよう構成されている。そして、作業者が高所などで作業するに当たり、前記フック金具を外部の支持金物に引掛けて係合させて安全を確保した場合、前記フック金具の自らの重さによって、フック金具の鉤部内側に設けた電気スイッチ部がその支持金物に押しつけられてオンとなり、その電気信号によって前記発光体を発光させることになるので、昼間はもちろん夜間であっても離れた地上にいる監督者など外部の第三者にも安全確保がされたことが確認できるのである。そして、前記安全確保を怠ったときは発光体の発光が確認できないので、監督者をして適切な注意喚起や指導が行える利点が得られる。
【００１０】
【発明の実施の形態】
次に、本発明の安全ベルトに係る実施形態について、図１〜３を参照しながら説明する。
本発明の安全ベルトを例示する図１において、ベルト本体１は、従来から腰部に装着して用いられている皮革製、布地製のものと特に変わりはなく、また電気工事や配管工事に適した作業用工具類を装着できる工具袋や携帯具が取りつけられるものでよい。
【００１１】
そして、このベルト本体１には、後記するような特別のフック金具４がロープ５を介して装備されるとともに、発光ダイオードのような発光体２１を複数個、列状に配置した発光体固定部材２を着脱自在に装着している。そして、前記フック金具４の鉤部４１の内側には、通常はオフになっている電気スイッチ部４２が設けられていて、図２に示すように、このフック金具４を外部の支持金物６に引掛けて係合させたとき、フック金具４の自重によって支持金物６に前記電気スイッチ部４２が押しつけられ自動的にオンとなり、フック金具４を外部の支持金物６から離脱させれば、前記電気スイッチ部４２は自動的にオフに復帰するよう構成されているのである。
【００１２】
さらに、このベルト本体１には、前記発光体２１の電源として乾電池または太陽電池を収容し、かつ発光体２１の発光を制御する電気回路を内臓する制御ボックス３が備えられ、この制御ボックス３と前記フック金具４に設けた電気スイッチ部４２との間をリード線５１、４３で接続して、電気スイッチ部４２のオンオフ信号をこの制御ボックス３に伝えることが可能に構成されている。
【００１３】
かくして、図２に示すように、このフック金具４を外部の支持金物６に引掛けて係合させたとき、フック金具４の自重によって支持金物６に前記電気スイッチ部４２が押しつけられ自動的にオンとなり、その電気信号がフック金具４内のリード線４３とロープ５に沿って配置したリード線５１を通じて、前記制御ボックス３に伝えられ、前記発光体２１を発光させるよう制御される。また、フック金具４を外部の支持金物６から離脱させれば、前記電気スイッチ部４２は、常態のオフに復帰するので、前記発光体２１を消光するよう制御される。
【００１４】
本発明の安全ベルトによれば、このように発光体２１の発光、消光を自動的に行えるので、昼間、夜間のいずれであっても作業場所から離れた場所にいる監督者にとって、作業者が安全確保の操作を行ったか否かを、発光体の発光の有無で確実に視認できるようになるのである。この観点から、発光体の発光は、単純な点灯動作でもよいが、適宜間隔の点滅の繰り返し発光が視認し易いのでより好ましい。
【００１５】
本発明では、前記発光体として、発光ダイオードのほかＥＬパネルも利用可能であるが、電源回路が簡単な発光ダイオードが好ましい。また、発光体は、単数でもよいが、図１のように、複数の発光体を列状に配置したものが視認効果が大で好ましい。また、前記制御ボックス３には、前記部品の他、点滅テスト回路や同スイッチボタンなど適宜な付加回路やパーツを設けることができ、この制御ボックス３自体は、独立したものでもよく、また発光体固定部材２に一体に取り付けられるものでもよい。
【００１６】
また、このような発光体を配列させた発光体固定部材２は、皮革、プラスチック材など発光体を埋め込むなどして適宜に固定できる素材から製作される帯状体であるが、図３に例示するように、その発光体固定面２２を表面にしてベルト本体１が挿通して装着可能な環状部材で形成したり、またはベルト本体１を挟み付けて装着可能な挟み付け部材（図示せず）を設けておけば、発光体固定部材２はベルト本体１に着脱可能なものとなるので、必要に応じて装着し、不要なときは取外すなど任意に行える利点がある。ただし、本発明はこのような着脱自在なものに限定されるものではない。
【００１７】
【発明の効果】
本発明の安全ベルトは、以上説明したように構成されているので、フック金具を備えた安全ベルトにおいて、作業者がフック金具による落下防止のための安全確保操作を行ったか否かを離れた場所にいる監督者が、昼間、夜間を問わず確実に視認できる安全ベルトを提供することができる。したがって、夜間作業や高所作業におけるより好ましい安全作業が実現できるという優れた効果がある。よって本発明は、従来の問題点を解消した安全ベルトとして、実用的価値はきわめて大なるものがある。
【図面の簡単な説明】
【図１】本発明の安全ベルトを説明するための構成部品略図。
【図２】本発明のフック金具を示す要部正面図。
【図３】本発明の発光体固定部材を示す要部斜視図。
【符号の説明】
１ベルト本体、２  発光体固定部材、２１  発光体、２２  発光体固定面、３  制御ボックス、４  フック金具、４１  鉤部、４２  電気スイッチ部、４３  リード線、５  ロープ、５１  リード線、６  支持金物。
【図１】
2004229721.tif 000003
【図２】
2004229721.tif 000004
【図３】
2004229721.tif 000005